(57)【要約】【目的】使用後の替え刃を切断して収納室に収納し、まとめて廃棄できるカッターナイフの提供にある。【解決手段】使用後の替え刃１４ｂを収納する収納室２６を備えた尾栓２０がハンドル１５の後端に着脱自在に設けれている。【選択図】        図５
2004305531.tif 000002
【特許請求の範囲】
【請求項１】
一定間隔毎に傾斜した折り目を境にして多数の替え刃群が備えられたカッターナイフ本体がスライダを介してホルダ内に摺動自在に設けられると共に該ホルダの外側にハンドルが装着されてなるカッターナイフにおいて、使用後の替え刃を収納する収納室を備えた尾栓がハンドルの後端に着脱自在に設けられ、
前記の収納室は替え刃の高さ、幅および長さより多少大きく形成され、
使用後の替え刃を前記の尾栓の収納室へ挿入するスリットが前記の尾栓の収納室に連通して該尾栓本体に形成されるとともに、前記のスリットは替え刃の幅および肉厚より多少大きく形成されてなることを特徴とするカッターナイフ。
【請求項２】
前記の尾栓の収納室に開閉自在な蓋が設けられてなることを特徴とする請求項１記載のカッターナイフ。
【請求項３】
軟質プラスチックス製のハンドルの長手方向に空気部が形成されてなることを特徴とする請求項１又は２記載のカッターナイフ。
【発明の詳細な説明】
【０００１】
【発明が属する技術分野】
この発明は、使用後の替え刃の収納を図ったカッターナイフに関する。
【０００２】
【従来の技術】
この種の従来例のカッターナイフとして特開２００１−３１４６６７公報に記載された発明が知られている。
この従来例は、ホルダ２とスライダ３と刃体４からなるカッターナイフにおいて、ホルダ本体５の尻部５ｂの開口部６ｂに蓋としても機能する刃体折り具８が着脱自在に装着されているものであった（特許文献１）。
【０００３】
この刃体折り具８には刃体４の切断機能部１０が設けられ、切断機能部１０は枠体部１３と押圧操作部１４から構成されていた。
この枠体部１３は、前記の開口部６ｂに形成された係合凹部１２に係合される係止突起１１と、係止突起１１から一体に連続する基端壁部１５と、この基端壁部１５の両側から一体に連続して相対向する両側壁部１６と、この両側壁部１６から一体に連続して基端壁部１５に対向する先端壁部１７から構成され、これらの各壁部１５、１６、１７間で開放部１３ａが形成されていた。
【０００４】
前記の押圧操作部１４は、枠体部１３に囲まれてこの枠体部１３の内側で片持梁状に支持された弾性部（板ばね部）として形成されていた。
前記の枠体部１３の内側と押圧操作部１４の指当面１４ａとの間で指掛け窪み１４ｂが設けられていた。
前記の押圧操作部１４の自由端部が可動挟持部１８となり、可動挟持部１８は両側壁部１６間で先端壁部１７に対向し、この先端壁部１７が固定挟持部１９として構成されていた。
【０００５】
可動挟持部１８と固定挟持部１９との相対向挟持面２０、２１間で刃体挿入間隙２２が形成されていた。
この刃体挿入間隙２２は、両側壁部１６に形成された両開放溝２３、２３間にあり、相対向挟持面２０、２１の切断端縁２０ａ、２１ａ間に可動挿入部２４が形成されていた。
【０００６】
両開放溝２３においては、固定挟持部１９の相対向挟持面２１と同一平面上にある固定載置面２５と、押圧操作部１４の非操作状態で可動挟持部１８の相対向挟持面２０に対しほぼ同一平面上となる固定載置面２６と、この相対向載置面２５、２６の切断端縁２５ａ、２６ａ間にある固定挿入口部２７と、この相対向載置面２５、２６間で固定挿入口部２７に対向するストッパ面２８が形成されていた。
【０００７】
両開放溝２３、２３の固定挿入口部２７は、刃体挿入間隙２２の可動挿入部２４の両側に隣接していた。
また、刃体４には知られるように刃先４ａの延設方向に沿って等間隔により切断線４ｂが形成されており、前記した両開放溝２３、２３の深さＷは隣接する刃体４の両切断線４ｂの間隔Ｌにほぼ等しいか若干小さく設定されていた。
【０００８】
そこで、刃体４を刃体挿入間隙２２及び両開放溝２３、２３に対しそれらの固定挿入口部２７、可動挿入口部２４から挿入し、刃体４の切断線４ｂをそれらの挿入口部２４、２７の切断端縁２０ａ、２１ａ、２５ａ、２６ａに合わせるか、またはこの切断端縁２０ａ、２１ａ、２５ａ、２６ａの外側に合わせられた。
【０００９】
刃体４はストッパ面２８に当接するまで挿入可能である。
この切断端縁２０ａ、２１ａ、２５ａ、２６ａに当てがって折ることができる。
【００１０】
この刃体折り具８に残った刃体４の切断片２９は、押圧操作部１４を押さえて固定挟持部１９の相対向挟持面２１と可動挟持部１８の相対向挟持面２０との間で保持された状態で運ばれ捨てるようにされていた。
【００１１】
【特許文献１】
特開２００１−３１４６６７号公報（図１〔ｂ〕ないし図２〔ｂ〕参照）
【００１２】
以上に述べた特許文献１に記載されたカッターナイフでは、前記の開放溝２３、２３の深さＷは隣接する刃体４の両切断線４ｂの間隔Ｌにほぼ等しいか若干小さく設定されているから、刃体４の切断線４ｂをそれらの挿入口部２４、２７の切断端縁２０ａ、２１ａ、２５ａ、２６ａに合わせるか、またはこの切断端縁２０ａ、２１ａ、２５ａ、２６ａの外側に合わせて１単位毎の刃体４として折りことができるものの、使用後の刃体４の切断片２９は、押圧操作部１４を押さえて固定挟持部１９の相対向挟持面２１と可動挟持部１８の相対向挟持面２０との間で保持された状態で運ばれ捨てるようされていたから、固定挟持部１９の相対向挟持面２１と可動挟持部１８の相対向挟持面２０との間で保持しない限り、切断片２９が脱落するという問題があった。
【００１３】
また、使用後の刃体４の切断片２９は、１枚毎廃棄せざるを得なく、切断片２９をまとめて廃棄することについては言及されていない。
【００１４】
さらに、使用時における指の疲労を軽減することについても何ら配慮されていなかった。
【００１５】
【発明が解決しようとする課題】
この発明は、前記した従来例の問題点を解決しようとするものであり、使用後の替え刃を切断できるようにすることと併せて一定数の使用後の替え刃を確実にまとめて収納した上、まとめて廃棄できるカッターナイフを提供することを目的とするものである。
他の目的は、一時的に収納した使用後の替え刃がカッターナイフの使用時にカッターナイフから飛び出ないようにすることにある。
さらに、他の目的は使用時における指の疲労を軽減できるカッターナイフを提供することにある。
【００１６】
【問題を解決するための手段および作用効果】
そして、本発明は上記の目的を達成するため、カッターナイフの第１の課題解決手段は、一定間隔毎に傾斜した折り目を境にして多数の替え刃群が備えられたカッターナイフ本体がスライダを介してホルダ内に摺動自在に設けられると共に該ホルダの外側にハンドルが装着されてなるカッターナイフにおいて、使用後の替え刃を収納する収納室を備えた尾栓がハンドルの後端に着脱自在に設けられ、前記の収納室は替え刃の高さ、幅および長さより多少大きく形成され、使用後の替え刃を前記の尾栓の収納室へ挿入するスリットが前記の尾栓の収納室に連通して該尾栓本体に形成されるとともに、前記のスリットは替え刃の幅および肉厚より多少大きく形成されてなることを特徴とするものである。
【００１７】
第１の課題解決手段によるカッターナイフの発明は、上記の構成であるから、使用後の替え刃を廃棄する際は、まず、尾栓をハンドルの後端から装着状態を解除して外す。
【００１８】
次いで、廃棄する替え刃を尾栓のスリットへ挿入し、スリットの開口縁に替え刃の折り目を当てがった上、替え刃を折曲させることにより、替え刃を折り目を境にして切断する。
【００１９】
切断された替え刃は自重により落下し、収納室内で揺動し、水平状態で収納される。
【００２０】
この場合、収納室は替え刃の高さ、幅および長さより多少大きく形成され、使用後の替え刃を収納室へ挿入するスリットが収納室に連通して尾栓本体に形成されるとともに、スリットは替え刃の幅および肉厚より多少大きく形成されてなるから、替え刃をスリットへ挿入し易いことのほか、落下時の替え刃は揺動が可能となるので、垂直状態から水平状態の姿勢に変化させて収納室の底面に収納できる。
したがって、替え刃を嵩張ることなく収納室内に収納できるから、収納室に多数の替え刃を収納できる。
【００２１】
さらに、第２番目以降の使用後の替え刃を収納する際は、前記した第１番目の替え刃の収納の手順により行うことにより、第２番目以降の替え刃をまとめて収納室内に収納できる。
収納される替え刃数の増加により、替え刃が水平状態にならないおそれのある場合は、尾栓を軽く振ることにより、替え刃を水平状態にして収納室内に積み重ねることができる。
【００２２】
そして、収納室に開閉自在な蓋が設けられていない場合は、まとめて収納した多数枚の使用後の替え刃を尾栓とともに危険性なく廃棄できる。
【００２３】
カッターナイフの第２の課題解決手段は、前記した第１の課題解決手段において、前記の収納室に開閉自在な蓋が設けられてなることを特徴とするものである。
【００２４】
第２の課題解決手段によるカッターナイフの発明は、上記の構成であるから、第１の課題解決手段によるカッターナイフの発明が奏する作用効果のほか、蓋が開閉自在に設けられているから、蓋を開けて使用後の替え刃を収納室から取り出し、替え刃のみを尾栓と独立して廃棄できるので尾栓を反復して使用できる。
【００２５】
カッターナイフの第３の課題解決手段は、前記した第１又は第２の課題解決手段において、軟質プラスチックス製のハンドルの長手方向に空気部が形成されてなることを特徴とするものである。
【００２６】
第３の課題解決手段によるカッターナイフの発明は、上記の構成であるから、第１又は第２の課題解決手段によるカッターナイフの発明が奏する作用効果のほか、ハンドルに空気部が形成されてなるから、この空気部の外側に指を押当てて使用することにより、緩衝性を図ることができるから、使用時の指の疲労を軽減できる。
【００２７】
【発明の実施の形態】
この発明の実施の形態に係るカッターナイフについて以下に図面を参照して説明する。
この発明の実施の形態に係るカッターナイフ１０は、知られるているように開口部に対向して張り出した鍔を備えた断面略コ字状のホルダ１２、一定間隔毎に傾斜した折り目１４ａを境にして多数の替え刃用１４ｂ群が連設されたカッターナイフ本体１４、ホルダ１２内で前記のカッターナイフ本体１４を摺動させるスライダ１６、ホルダ１２の外側に装着されたハンドル１５およびハンドル１５の後端に着脱自在に設けられた尾栓２０により基本的に構成されている（図１、図２を参照）。
【００２８】
スライダ１６にはカッターナイフ本体１４が連結され、スライダ１６を操作することによりカッターナイフ本体１４をホルダ１２の先端から飛び出るように図られている。
【００２９】
カッターナイフ本体１４はスライダ１６を介して摺動されるものの、その手段は広く知られているから詳細については省略するが（たとえば、特開２０００−２７６４４５公報参照）、スライダ１６はホルダ１２の細長い開口部に支持されている。
スライダ１６はこの細長い開口部縁に形成された凹凸部１８に脱着されつつ、細長い開口部に沿って摺動させることにより、カッターナイフ本体１４をホルダ１２の先端から飛び出るように図られている（図１、図２を参照）。
【００３０】
さらに、この発明では、ハンドル１５の後端に開放部が形成され、開放部には追って説明する尾栓２０の係合部２２に対応する被係合部２４が形成され（図２、図３を参照）、尾栓２０の係合部２２をハンドル１５の後端の被係合部２４に係合させ、あるいは係合を解除することにより、尾栓２０をハンドル１５の後端に着脱できるように図られている。
なお、ハンドル１５はホルダ１２の外側に装着され、ホルダ１２を保護することも併せて目的としているものであり、断面形態はホルダ１２と同様に略コ字状を呈しており、開口縁に内側に向けてホルダ１２の鍔と同様に鍔１５ａがハンドル１５の全長に亘って設けられてなるものである（図１、図２を参照）。
【００３１】
尾栓２０はこの発明の特徴であり、その詳細については追って説明するが、四つの目的を達成するため次の構成を備えている。
一つは、使用後の替え刃１４ｂの一定の枚数たとえば１２枚の替え刃１４ｂ群を収納できるように収納室２６を備えている（図４〜図７を参照）。
【００３２】
二つは、使用後の替え刃１４ｂをカッターナイフ本体１４の折り目１４ａを境にして切断することを目的として収納室２６に通じるスリット２８が形成され、替え刃１４ｂをスリット２８に挿入し、スリット２８の開口縁２８ａに前記の折り目１４ａを位置させ、替え刃１４ｂを折曲させることにより切断できるよう図られている（図４〜図７を参照）。
【００３３】
三つは、収納室２６に収納した使用後の替え刃１４ｂを収納室２６から取り出すことができるように収納室２６に開閉自在な蓋２８ｂが設けられ、替え刃１４ｂを取り出して廃棄できるように意図されている（図３を参照）。
【００３４】
四つは、収納室２６に収納した使用後の替え刃１４ｂがカッターナイフ１０の使用時における妄動により、スリット２８から飛びでないように図られており、尾栓２０がハンドル１５の後端に装着されることにより、スリット２８がハンドル１５の鍔１５ａにより、隠蔽できるように図られている（図１を参照）。
【００３５】
そこで、さらに、この発明の実施の形態を詳細を説明すると、尾栓２０は全体として中空の箱形のものであって、内側には使用後の替え刃１４ｂを収納する収納室２６が形成されている。
この収納室２６は垂直状態の替え刃１４ｂをスリット２８を介して切断し、収納室２６へ落下させたときに、その姿勢を水平方向に変化させ、たとえば、使用後の１２枚の替え刃１４ｂを収納できるようにスペースに融通性がもたせてあり、替え刃１４ｂの高さＨ、幅Ｗおよび長さＬより多少大きく形成されている（図８を参照）。
【００３６】
使用後の替え刃１４ｂを挿入するスリット２８が尾栓２０の収納室２６に通じて形成され、前記のスリット２８の開口縁２８ａから前記の収納室２６の底面２６ａに至る間隔αは、収納室２６の高さｈに収納室２６を形成する尾栓本体の肉厚ｔを加算した間隔に等しく設定されている（図７を参照）。
【００３７】
開口縁２８ａから収納室２６の底面２６ａに至る間隔αが収納室２６の高さｈに収納室２６を形成する尾栓本体の肉厚ｔを加算した間隔に等しく設定されているから、尾栓２０をハンドル１５から外し、外された尾栓２０のスリット２８を介して使用後の替え刃１４ｂを収納室２６内へ挿入し、折り目１４ａをスリット２８の開口縁２８ａ位置させ、折り目１４ａを境にして替え刃１４ｂを折曲させることにより切断できる。
【００３８】
切断された替え刃１４ｂは、スリット２８の開口縁２８ａから収納室２６の底面２６ａに向けて落下するが、この際、前記したように収納室２６は一定のスペースがあって融通性があるから、垂直状態で落下する替え刃１４ｂは姿勢を水平状態へ変化し、図示のように底面２６ａに倒伏される（図５〜図７を参照）。
【００３９】
なお、使用後の替え刃１４ｂを切断するに際して、一般的な方法を開示する。図９に示されるように、ホルダ１２の背面の先端１２ａを一定の肉厚によりカッターナイフ本体１４の折り目１４ａの傾斜角度に一致させて形成させておくことにより以下に説明するように使用後の替え刃１４ｂの切断時の有利性がある。
この点について説明すると、替え刃１４ｂの折り目１４ａを境にして前記した尾栓２０のスリット２８を利用して切断する場合、次のように実施することにより使用後の替え刃１４ｂの切断の確実性を図ることができる。
【００４０】
使用後の替え刃１４ｂの切断を行うに際して、替え刃１４ｂの折り目１４ａを前記したホルダ１２の背面の先端１２ａに一致させる。
前記したようにホルダ１２の背面の先端１２ａは替え刃１４ｂの折り目１４ａの傾斜角度に一致させて形成されているから、両者を一致させるに困難性はない。
次いで図１０に示されるように、ホルダ１２の背面の先端１２ａを尾栓２０の係合区画部２２ａに沿わせて載置させる。
かくして、替え刃１４ｂの折り目１４ａはホルダ１２の背面の先端１２ａの傾斜角度と一致しているから、その姿勢を保って替え刃１４ｂを折り目１４ａを境にして確実に切断できる。
【００４１】
この発明の実施の形態では、前記した尾栓２０の反復して使用することを意図している。
つまり、収納室２６に収納されたたとえば、１２枚の使用後の替え刃１４をまとめて収納室２６から取り出し、使用後の替え刃１４ｂ群のみを廃棄し、尾栓２０を廃棄することなく、反復して使用することができるようにするため、使用後の替え刃１４ｂを取り出し、使用後の替え刃１４ｂを収納室２６に保持することを意図して開閉自在な蓋２８ｂが収納室２６に設けられている（図３を参照）。
【００４２】
この発明の実施の形態では、使用後の替え刃１４ｂは尾栓２０の収納室２６に収納された状態により、尾栓２０をハンドルカ１５に装着させて使用されることが予定されている。
したがって、収納室２６に収納された使用後の替え刃１４ｂが一般的にはそのおそれは少ないものの、カッターナイフ１０の使用時にスリット２８を通じて収納室２６に収納された使用後の替え刃１４ｂが稀に飛び出るおそれがあるが、その飛び出るおそれを防止するために次の工夫が凝らされている。
【００４３】
尾栓２０の係合部２２には、図３〜図７に示されるように上下二段の高さによる係合区画部２２ａ、２２ｂが形成され、これらの両係合区画部２２ａ、２２ｂを横切って前記したスリット２８が形成されている。
【００４４】
かくして、使用後の替え刃１４が収納された尾栓２０をカバー１５の後端に装着させたときに下段の係合区画部２２ｂは本体の後端に設けられた被係合部２４に係合されるようにされている。
したがって、下段の係合区画部２２ｂに形成されたスリット２８の相当部分は図１に示されるようにハンドル１５の後端寄りの鍔１５ａにより隠蔽されるから、収納室２６に収納された使用後の替え刃１４が飛び出るおそれがない。
他方、上段の係合区画部２２ａは図１に示されるようにハンドル１５の開口部に露呈され、スリット２８の一部もまた露呈することになるものの、前記したようにスリット２８の相当部分は下段の係合区画部２２ｂにより隠蔽されるから、その露呈に拘わらず替え刃１４が飛び出るおそれがない。
【００４５】
スリット２８の相当部分が下段の係合区画部２２ｂにより隠蔽される例を挙げたが、この点を無視するならば、図示を省略したが、スリット２８が下段の係合区画部２２ｂにより隠蔽されることを考慮することなく、尾栓２０の後端寄りにスリット２８を採用してもよい。
【００４６】
この発明は、さらに、カッターナイフ１０の使用時における指の疲労を軽減することが図られている。
図１、図２に示されるように、ホルダ１２の外周を保護しているハンドル１５の長手方向に空気部３２、３２が形成されることにより、使用時の緩衝性を図っている。
空気部３２、３２は、図示の場合、ハンドル１５を貫通して設けられているが、空気室として周囲を閉鎖するようにして空気部を形成してもよい。
また、ハンドル１５の材質は好ましくは軟質プラスチックスがよく、一層緩衝性の向上化を期待できる。
空気部３２、３２は好ましくは、ハンドル１５の長手方向に設けることがよいが、長手方向に専ら制約されない。
【図面の簡単な説明】
【図１】本発明の実施の形態に係るカッターナイフの使用時の正面図
【図２】本発明の実施の形態に係るカッターナイフから尾栓を取り外した状態を示す正面図
【図３】本発明の実施の形態に係る尾栓の斜視図
【図４】本発明の実施の形態に係る図３のＡ−Ａ線拡大断面図
【図５】本発明の実施の形態に係る使用後の替え刃を折曲する状態を示す拡大側面断面図
【図６】本発明の実施の形態に係る使用後の替え刃を折曲する状態を示す拡大正面断面図
【図７】本発明の実施の形態に係る使用後の替え刃が切断された状態を示す拡大正面断面図
【図８】本発明の実施の形態に係る替え刃の拡大正面図
【図９】本発明の実施の形態に係るカッターナイフの背面図
【図１０】本発明の実施の形態に係る使用後の替え刃の切断時の状態を示す要部の拡大側面断面図
【符号の説明】
１０  カッターナイフ
１２  ホルダ
１４  カッターナイフ本体
１４ａ  折り目
１４ｂ  替え刃
１５  ハンドル
１５ａ  ハンドルの鍔
１６  スライダ
１８  凹凸部
２０  尾栓
２２  係合部
２２ａ  上段の係合区画部
２２ｂ  下段の係合区画部
２４  被係合部
２６  収納室
２６ａ  底面
２８ｂ  蓋
２８  スリット
２８ａ  開口縁
３２  空気部
【図１】
2004305531.tif 000003
【図２】
2004305531.tif 000004
【図３】
2004305531.tif 000005
【図４】
2004305531.tif 000006
【図５】
2004305531.tif 000007
【図６】
2004305531.tif 000008
【図７】
2004305531.tif 000009
【図８】
2004305531.tif 000010
【図９】
2004305531.tif 000011
【図１０】
2004305531.tif 000012